(57)【要約】      （修正有）【課題】  装置全体の小型化、軽量化を考えて、テープガイドブロックの姿勢を安定化させる。【解決手段】  テープガイド４４が立設されたテープガイドブロック４５の入力軸部５２を伝動アーム５５で押圧することにより、そのテープガイドブロック４５を移動させてテープカセットに収納された磁気テープの一部を引き出して回転ヘッドドラムに巻き付けると共に、テープガイドブロック４５を回転ヘッドドラムが取り付けられた固定シャーシに設けた位置決めねじ４７に圧接して位置決めし、回転ヘッドドラムの回転により磁気テープに対して情報信号の記録や再生を行うようにした磁気記録再生装置に関する。入力軸部５２の伝動アーム５５と接触する部分に上側を細くしたテーパ部５６を設け、そのテーパ部５６を伝動アーム５５で押圧するようにした。【選択図】      図２
2006202387.tif 000002
【特許請求の範囲】
【請求項１】
テープガイドが立設されたテープガイドブロックの入力軸部を伝動アームで押圧することにより、当該テープガイドブロックを移動させてテープカセットに収納された磁気テープの一部を引き出して回転ヘッドドラムに巻き付けると共に、当該テープガイドブロックを前記回転ヘッドドラムが取り付けられた固定シャーシに設けた位置決め部材に圧接して位置決めし、回転ヘッドドラムの回転により磁気テープに対して情報信号の記録及び／又は再生を行うようにした磁気記録再生装置において、
前記入力軸部の前記伝動アームと接触する部分に上側を細くしたテーパ部を設け、当該テーパ部を前記伝動アームで押圧するようにしたことを特徴とする磁気記録再生装置。
【請求項２】
前記伝動アームには、前記入力軸部が嵌合される嵌合穴を設け、当該嵌合穴の内周面を、入力軸部と略線接触するように曲面としたことを特徴とする請求項１記載の磁気記録再生装置。
【請求項３】
前記位置決め部材には、前記テープガイドブロックの上方に突出して当該テープガイドブロックの浮き上がりを阻止するストッパ部を設け、前記テープガイドブロックの入力軸部の近傍には前記固定シャーシに圧接される脚部を設けたことを特徴とする請求項１記載の磁気記録再生装置。
【発明の詳細な説明】
【技術分野】
【０００１】
本発明は、テープカセットに収納された磁気テープの一部をカセット筐体内から引出して回転ヘッドドラムに巻き付けるテープローディングを行って磁気テープにデータの記録又は再生を行うようにした磁気記録再生装置に関し、特に、回転ヘッドドラムに巻き付けられる磁気テープを所定位置に位置決めするための技術に関するものである。
【背景技術】
【０００２】
従来の、この種の磁気記録再生装置としては、例えば、特許文献１に記載されているようなものがある。特許文献１には、テープカセットのテープを引き出してドラムに摺接するコースター部のテープガイド傾斜角度調整に関するものでメカデッキの小型化を図ったメカデッキに関するものが記載されている。この特許文献１に記載されたビデオデッキは、「テープカセットのテープをコースター部により引き出して録画再生用ドラムの摺接する位置にローディングすると共にテープ走行できる位置にガイドするテープ駆動制御を持つテープ記録・再生装置で、前記コースター部は、テープをガイドするテープガイドを備えてあるコースター本体部のスペースにテープガイド傾斜角度調整位置決め部を複数個設け、該複数個のテープガイド傾斜角度調整位置決め部のうち１個を高さ方向に調整して、テープガイド傾斜角度を調整できるようにした」ことを特徴としている。
【０００３】
このような構成を有するビデオデッキによれば、「ローディングの時にテープをドラムに摺接するようにガイドするコースター部のスペースであって、テープのパスから外れた位置に調整用ネジを組み付けてあるため、コースター部以外の別途調整機構を必要としないため、メカデッキの小型化を図ることができると共に、コストダウンを図ることができる」という効果が期待される。
【０００４】
また、従来のこの種の磁気記録再生装置の他の例としては、例えば、特許文献２に記載されているようなものもある。特許文献２には、回転ヘッドを用いた磁気記録再生装置に関し、特にそのモード遷移機構に係るものが記載されている。この特許文献２に記載された磁気記録再生装置は、「回転ヘッドドラムが固定されているベースシャーシ上に上記回転ヘッドドラムに対し近接／離隔する方向に移動可能に設けられ、テープカセットが載置されるリニアスケートシャーシを有し、このリニアスケートシャーシ上には、上記テープカセットから磁気テープを引出すテープガイド、上記磁気テープをキャプスタンに圧着させるピンチローラ、上記テープカセットのリールの回転を規制するブレーキ部材が配設されてなる磁気記録再生装置において、上記テープガイドは、上記リニアスケートシャーシに回動可能に取付けられたテープガイドアーム上に設けられ、このテープガイドアームに設けられた係合部が上記ベースシャーシ側に設けられたカム溝に係合し、上記ピンチローラは、上記リニアスケートシャーシに回動可能に取付けられたピンチローラアーム上に設けられ、このピンチローラアームに設けられた係合部が上記ベースシャーシ側に設けられたカム溝に係合し、上記ブレーキ部材は、上記リニアスケートシャーシに回動可能に取付けられたブレーキアームによりなり、このブレーキアームに設けられた係合部が上記ベースシャーシ側に設けられたカム溝に係合し、動作モードに応じて上記リニアスケートシャーシを移動させることで上記テープガイドアーム、ピンチローラアーム、ブレーキアームの夫々の係合部が上記カム溝に沿って移動することにより、上記テープガイドアーム、ピンチローラアーム、ブレーキアームが夫々回動して上記テープガイド、ピンチローラ、ブレーキ部材が動作される構造とした」ことを特徴としている。
【０００５】
このような構成を有する磁気記録再生装置によれば、「モード遷移に応じて動作するテープガイド、ピンチローラ、ブレーキ部材等の可動部品の駆動をテープカセットを移動させるためのリニアスケートシャーシの動きを利用して行なう構造であるため、従来の磁気記録再生装置のように夫々の可動部品ごとに別個の駆動機構部品を設ける必要がないので、従来に比して部品点数が大幅に削減され、それに伴って磁気記録再生装置全体としての軽量化及びコストダウンを図ることができる」という効果が期待される。
【０００６】
しかしながら、上述した特許文献１及び特許文献２のいずれの場合においても、テープガイドが立設されたテープガイドブロックをアームで位置決めネジに押圧し、テープガイドブロックを位置決めネジに圧着させることにより、テープガイドを所定位置に安定して保持できるように構成していた。ところが、振動や衝撃力の入力、テープテンションの変動等の外乱に対しても安定させてテープガイドブロックを位置決めネジに圧着させるためには、できるだけ大きなモーメントをアームからテープガイドブロックに与え、それに対応したより大きな反力をテープガイドブロックで受け得る構造とする必要があった。
【０００７】
このことを、図１０を用いて詳細に説明する。図１０は、従来の磁気記録再生装置に係るテープガイドブロックの要部を示すもので、テープガイドブロックの入力軸部を伝動アームで押圧している状態の説明図である。テープガイドブロック１００には、ガイドピン１０１が圧入等の固着手段により固定されて上方へ突出するように設けられている。このテープガイドブロック１００の前部には、二股形状とされた突当部１０２が設けられている。この突当部１０２を、レール部材１０３に螺合されている位置決めねじ１０４に突き当てることにより、図示しない固定シャーシに取り付けられている回転ヘッドドラムに対してテープガイドブロック１００を所定位置に位置決めすると共に、その位置でロックしてテープガイドブロック１００の姿勢を安定化させるようにしている。
【０００８】
また、テープガイドブロック１００の下面には、下方に突出するガイド軸部１０５と入力軸部１０６とが設けられている。テープガイドブロック１００のガイド軸部１０５と入力軸部１０６とは、固定シャーシに取り付けられたレール部材１０３のガイド溝に、それぞれ摺動可能に係合されている。ガイド軸部１０５の先端には、ガイド溝からの抜け出しを防止するために半径方向外側に突出した突起部１０５ａが設けられている。また、入力軸部１０６の先端には、所定の嵌合位置以外の嵌合位置において伝動アーム１０７が入力軸部１０６から抜け出すのを防止するために半径方向外側に突出した突起部１０６ａが設けられている。
【０００９】
入力軸部１０６は、軸方向の略全長において同一の軸径を有する円柱状の軸部からなり、その入力軸部１０６に、伝動アーム１０７の一端に設けた円形の嵌合穴が緩く嵌合されている。また、伝動アーム１０７の嵌合穴には、突起部１０６ａの出し入れを許容するための切欠きが設けられている。この嵌合穴の切欠きに入力軸部１０６の突起部１０６ａを一致させた状態においてのみ伝動アーム１０７の分離作業が可能であり、それ以外の互いに回転変位した状態においては、突起部１０６ａが邪魔になってガイド溝から引き出すことができないようになっている。
【００１０】
伝動アーム１０７は、図示しないが、複数枚のギアの組み合わせからなるギア列を介して駆動モータに動力伝達可能に連結されている。その駆動モータを動作させて伝動アーム１０７を、レール部材１０３の面方向と水平方向に動かすことにより、伝動アーム１０７に押されてテープガイドブロック１００が回転ヘッドドラムに近づく方向（又は回転ヘッドドラムから離れる方向）に移動する。そして、テープガイドブロック１００が所定位置まで移動すると、突当部１０２が位置決めねじ１０４の軸部に突き当てられ、このときの位置決めねじ１０４に対するテープガイドブロック１００の圧着力の大小によって位置決め状態の安定性が異なることになる。
【００１１】
図１０及び図１１Ａに示すように、伝動アーム１０７による押圧力Ｆ０が入力軸部１０６に作用する位置（入力点）をＰ０とすると、その押圧力Ｆ０によってテープガイドブロック１００には、同図において反時計方向に向かうモーメントが発生し、そのモーメントによって突当部１０２の上面が位置決めねじ１０４の頭部１０４ａの裏面（支点Ｐ１）に当接される。このとき、テープガイドブロック１００に発生するモーメントをＭ０とすると、そのモーメントＭ０の式は、数１のようになる。
【００１２】
［数１］
Ｍ０＝Ｆ０×Ｌ０
【００１３】
この数式１で表されるモーメントＭ０に対するレール部材１０３の応力は、テープガイドブロック１００に設けた複数の脚部１００ａ（作用点Ｐ２）によって分散して負担することになる。この場合、テープガイドブロック１００を正確な位置に安定して保持するためには、モーメントの値が大きければ大きいほど安定性を増すことができ、振動や衝撃力の入力、テープテンションの変動等の外乱に対しても、より安定して当初の位置に保持することが可能となる。
【００１４】
このモーメントＭ０を大きくするためには、伝動アーム１０７が入力軸部１０６を押す力Ｆ０を増すか、図１１Ｂに示すように入力軸部１０６を下方に伸ばして押す位置（入力点Ｐ０）を下げることにより腕の長さＬを長くする（Ｌ＝Ｌ０＋Ｅ）か、或いは、位置決めねじ１０４を回して頭部１０４ａの位置を高くして腕の長さＬ０を長くする必要がある。
【００１５】
一方、この種の磁気記録再生装置においては、装置全体の軽量化、小型化の要請が強いために、伝動アーム１０７が入力軸部１０６を押す力Ｆ０を大きくすることには困難がある。更に、入力軸部１０６を伸ばして押す位置（入力点Ｐ０）を下げることは、装置全体の厚みを増すことになり、装置全体の軽量化、小型化の要請に反することになるため、採用することができない。また、位置決めねじ１０４の頭部１０４ａを高くすることについては、支点Ｐ１は、ガイドピン（テープガイド）に巻き付く磁気テープよりも下にないといけないため、頭部１０４ａを高くすることも採用することができない。その結果、装置全体の小型化を図りつつテープガイドブロック１００の姿勢を安定化させることが困難であるという問題点があった。
【特許文献１】特開２００１−２５０２９７号公報
【特許文献２】特開平６−６０５０５号公報
【発明の開示】
【発明が解決しようとする課題】
【００１６】
解決しようとする問題点は、従来の磁気記録再生装置においては、テープガイドを保持するテープガイドブロックの姿勢を安定化させるためには、テープガイドブロックを押す力を増すか、テープガイドブロックに作用するモーメントを大きくする必要があるが、装置全体の小型化、軽量化を考えると、テープガイドブロックの姿勢を安定化させることが難しいという点である。
【課題を解決するための手段】
【００１７】
本出願の磁気記録再生装置は、テープガイドが立設されたテープガイドブロックの入力軸部を伝動アームで押圧することにより、そのテープガイドブロックを移動させてテープカセットに収納された磁気テープの一部を引き出して回転ヘッドドラムに巻き付けると共に、テープガイドブロックを回転ヘッドドラムが取り付けられた固定シャーシに設けた位置決め部材に圧接して位置決めし、回転ヘッドドラムの回転により磁気テープに対して情報信号の記録及び／又は再生を行うようにした磁気記録再生装置において、入力軸部の伝動アームと接触する部分に上側を細くしたテーパ部を設け、そのテーパ部を伝動アームで押圧するようにしたことを最も主要な特徴とする。
【００１８】
本出願の磁気記録再生装置は、伝動アームには、入力軸部が嵌合される嵌合穴を設け、その嵌合穴の内周面を、入力軸部と略線接触するように曲面としたことを特徴とする。
【００１９】
また、本出願の磁気記録再生装置は、位置決め部材には、テープガイドブロックの上方に突出してテープガイドブロックの浮き上がりを阻止するストッパ部を設け、そのテープガイドブロックの入力軸部の近傍には固定シャーシに圧接される脚部を設けたことを特徴とする。
【発明の効果】
【００２０】
本出願の磁気記録再生装置によれば、入力軸部の伝動アームが接触する部分には上側を細くしたテーパ部が設けられており、そのテーパ部を伝動アームで押圧すると、そのテーパ部の傾斜面と直交する方向に押圧力が作用することになる。これにより、押圧力がテープガイドブロックに作用する作用点からテープガイドブロックを位置決めする位置決め部材の支点までの見かけ上の腕の長さを長くすることができる。この押圧力の作用点から支点までの見かけ上の腕の長さを長くすることにより、テープガイドブロックに発生するモーメントを大きくし、テープガイドブロックの姿勢の安定化を図ることができる。
【００２１】
本出願の磁気記録再生装置によれば、伝動アームに設けた嵌合穴の内周面を曲面としたことにより、伝動アームの嵌合穴の縁が入力軸部の表面に食い込むことを防止し、摺動する際の抵抗を生ずることがなく、伝動アームを入力軸部に対して滑らかに摺動接触させることができる。
【００２２】
また、本出願の磁気記録再生装置によれば、位置決め部材にストッパ部を設けると共にテープガイドブロックには脚部を設け、ストッパ部の反力により脚部をレール部材に圧着させることにより、テープガイドブロックをしっかりと固定してテープガイドブロックの姿勢を安定化させることができる。
【発明を実施するための最良の形態】
【００２３】
押圧力の作用点から支点までの見かけ上の腕の長さを長くすることにより、テープガイドブロックに発生するモーメントを大きくし、テープガイドブロックの姿勢の安定化を図ることができる磁気記録再生装置を、簡単な構造によって実現した。
【実施例１】
【００２４】
図１〜図９は、本発明の磁気記録再生装置の実施の形態の例を示すものである。即ち、図１は本発明の磁気記録再生装置に係るテープガイドブロックの第１の実施例を示すもので、テープガイドブロックを下方から見た斜視図、図２は一部を断面した説明図、図３は要部を拡大して示す説明図、図４は伝動アームの一実施例を示す平面図、図５はテープガイドブロックに発生するモーメントの説明図、図６は本発明の磁気記録再生装置の一実施例を示す斜視図、図７は本発明の磁気記録再生装置に係るテープガイドの第２の実施例を示す断面図、図８は同じく分解した斜視図、図９はテープカセットの一実施例を示す斜視図である。
【００２５】
まず、本発明の磁気記録再生装置に使用されるテープカセットについて説明する。図９は、本発明に使用されるテープカセットの一具体例を示すもので、情報記録媒体として磁気テープを使用したものである。このテープカセット１は、磁気テープが回転自在に収納されたカセット筐体２と、このカセット筐体２の開口部を開閉可能とされたカセット蓋体３とから構成されている。
【００２６】
カセット筐体２は、上下に重ね合わされる略長方形をなす上ケース４と下ケース５とからなり、下ケース５には長手方向に所定の間隔をあけて２つのハブ穴が設けられている。これらのハブ穴には、互いに対をなす供給側リール６及び巻取り側リール７のハブ部がそれぞれ回転自在に嵌合されている。この供給側リール６の巻芯部に磁気テープの一端が固定され、その大部分が巻芯部に巻き取られて、その他端が巻取り側リール７の巻芯部に巻き取られている。これら一対の供給側リール６及び巻取り側リール７が、カセット筐体２内に回転可能な状態で収納されている。
【００２７】
カセット筐体２の前部には、カセットデッキのローディング機構のガイドピン等が入り込むローディング用開口部８と、その開口部８の両外側に開口された一対のテープ通し穴とが設けられている。供給側リール６から引き出された磁気テープは、一方のテープ通し穴からカセット筐体２外に導き出され、開口部８を通過して他方のテープ通し穴からカセット筐体２内に入り込み、巻取り側リール７に巻き取られる。このカセット筐体２の前部が、カセット蓋体３によって開閉可能とされている。
【００２８】
カセット蓋体３は、３枚のリッド部材によって構成されている。３枚のリッド部材は、開口部８に引き出された磁気テープの正面を覆うフロントリッド１０と、その磁気テープの上面を覆うトップリッド１１と、磁気テープの背面を覆う図に表れないバックリッドとからなっている。フロントリッド１０はカセット筐体２に回動可能に支持されており、このフロントリッド１０にトップリッド１１の一端とバックリッドの一端がそれぞれ回動可能に連結されている。そして、トップリッド１１の他端は上ケース４に摺動可能に支持され、バックリッドの他端は下ケース５に摺動可能に支持されている。
【００２９】
更に、フロントリッド１０の両側部には、カセットホルダに挿入する際のガイドをなすガイド凸片が挿通されるガイド穴１２，１２が開口されている。そして、一方のガイド穴１２の奥には、フロントリッド１０を閉じ位置に保持するロックレバー１３が配置されている。このロックレバー１３を一方のガイド凸片で押圧して後退動作させることにより、ロックレバー１３によるカセット蓋体３のロックが解除されてフロントリッド１０の開放動作が可能となる。
【００３０】
図６に示すように、本実施例に係る磁気記録再生装置２０は、テープカセット１が着脱可能に装着されるカセットホルダ２１と、そのカセットホルダ２１の両側を移動可能に支持する一対のリンク部材２２Ａ，２２Ｂからなるホルダ支持機構と、その一対のリンク部材２２Ａ，２２Ｂを姿勢変更可能に支持する可動シャーシ２３と、その可動シャーシ２３を移動可能に支持する固定シャーシ２４と、磁気ヘッドが設けられた回転ヘッドドラム２５等を備えて構成されている。
【００３１】
カセットホルダ２１は、テープカセット１を４つの面部で囲うことができる四角形の筐体によって構成されている。即ち、カセットホルダ２１は、挿入されたテープカセット１の上面に対向される上面部と、そのテープカセット１の下面を支える下面部と、上面部の左右両側に連続してテープカセット１の左右側面にそれぞれ対向される左側面部及び右側面部とを有している。これらの４面と直交する方向に開口される２つの開口部のうち、一方の開口部がテープカセット１が出し入れされるカセット出入口２６とされていて、他方の開口部が回転ヘッドドラム２５に対向されている。
【００３２】
カセットホルダ２１の上面部には、軽量化を図るために比重の軽いエンジニアリングプラスチックによって形成された化粧板２７が固定ねじ等の固着手段によって固定されている。この化粧板２７は、上面部の強度を高める補強材としての役割りの他、見た目を美しくして見映えを良くする等の役割も有している。また、カセットホルダ２１の下面部は、テープカセット１の下面を支えるものであるため、テープカセット１の３辺を支えることができるコ字状をなす枠体として形成されている。
【００３３】
カセットホルダ２１の下面部の両側部には、図示しないが、テープカセット１の両側部に設けたガイド穴１２，１２に出し入れされるストッパ片が設けられている。一対のストッパ片は、カセットホルダ２１に挿入されるテープカセット１のガイドをなすものであるが、一方のストッパ片は、テープカセット１のロックレバー１３を動作させてカセット蓋体３のロックを解除する役割も兼ねている。また、カセットホルダ２１の左右の側面部は、テープカセット１の厚みと同程度の高さを有する板体からなり、これら側面部の外側に、一対のリンク部材２２Ａ，２２Ｂがそれぞれ配置されている。
【００３４】
一対のリンク部材２２Ａ，２２Ｂは、第１のリンク２８と第２のリンク２９を交差させると共に、その交差部に回動軸部３０を設けることによって互いに回動自在に連結されている。回動軸部３０としては、例えば、一方のリンクに円筒状の凸部を設けると共に、他方のリンクに貫通穴を設け、その貫通穴に円筒状凸部を貫通させた後、その先端部をカシメ加工することによって形成することができる。第１のリンク部材２２Ａはカセットホルダ２１の左側面部の外側に配置され、第２のリンク部材２２Ｂはカセットホルダ２１の右側面部の外側に配置されている。
【００３５】
一対のリンク部材２２Ａ，２２Ｂの第１のリンク２８の上部は、カセットホルダ２１の各側面部の上部略中央部に回動軸３１によって回動自在に支持されている。更に、２つの第１のリンク２８，２８は、連結部材３２により連結されて一体に形成されている。２つの第１のリンク２８の下部には、カセットホルダ２１と反対側の外側へ突出するようにガイドピン３３がそれぞれ設けられている。各ガイドピン３３は、可動シャーシ２３に設けたガイド穴３４にそれぞれ摺動可能に係合されている。各ガイド穴３４は、第１のリンク２８の傾きが大きくなるに伴ってその第１のリンク２８が徐々に低い方へ移動するようにカセット出入口２６と反対側が先下がりとなるように形成されている。
【００３６】
更に、一対の第１のリンク２８，２８のうち、一方の第１のリンク２８には、テープカセット１のフロントリッド１０を開放動作させるためのリッド操作部が設けられている。また、一対の第２のリンク２９，２９の下部は、カセットホルダ２１のカセット出入口の下方に延在されていて、回動軸部によってフレーム板３５に回動自在に連結されている。フレーム板３５は可動シャーシ２３にねじ止めされており、このフレーム板３５を介して第２のリンク２９，２９の下部が、可動シャーシ２３にそれぞれ回動自在に支持されている。
【００３７】
一対の第２のリンク２９，２９の上部には、各リンクが延びる方向に延在されたガイド穴３６がそれぞれ設けられている。各ガイド穴３６は、上側が凸とされた円弧状の長穴からなり、カセットホルダ２１の各側面部に設けたガイドピン３７がそれぞれ摺動可能に係合されている。各ガイドピン３７は、カセットホルダ２１の各側面部において、カセット出入口２６と反対側の上部に配置されている。更に、第２のリンク２９，２９の上部には、ばね受け片がそれぞれ設けられている。
【００３８】
一方の第２のリンク２９のばね受け片には、引張ばねからなる第１のコイルばね４０の一端が係止されている。また、他方の第２のリンク２９のばね受け片には、引張ばねからなる第２のコイルばね４１の一端が係止されている。第１のコイルばね４０の他端は、カセットホルダ２１の左側面部に設けたばね受け部に引っ張り状態で係止されている。また、第２のコイルばね４１の他端は、第２のリンク部材２２Ｂとカセットホルダ２１との間に介在されたロックアームのばね受け部に引っ張り状態で係止されている。
【００３９】
ロックアームは、カセットホルダ２１を下降させて可動シャーシ２３内に収納した状態において、その収納状態にカセットホルダ２１をロックして保持するものである。このロックアームは、回動軸によってカセットホルダ２１に回動自在に支持されている。このロックアームの下部には、収納状態で可動シャーシ２３に係合されるストッパ爪が設けられている。このロックアームの上部にばね受け部が設けられており、そのばね受け部に一端が係止された第２のコイルばね４１のばね力によってロックアームは、カセット出入口２６側に付勢されている。
【００４０】
一対のリンク部材２２Ａ，２２Ｂを介してカセットホルダ２１を支持する可動シャーシ２３は、底面部２３ａと、その底面部２３ａの左右方向両側に連続された側面部２３ｂ，２３ｃとからなっている。可動シャーシ２３の底面部２３ａには、左右方向に所定の間隔をあけて供給側リールと巻取り側リールとが回転可能に取り付けられている。更に、底面部２３ａには、テープカセット１のローディング用開口部８から引き出された磁気テープに所定の張力を付与する一対のテンションローラ等が設けられている。この可動シャーシ２３の左右の側面部２３ｂ，２３ｃに、前記ガイド穴３４が設けられている。
【００４１】
可動シャーシ２３は、固定シャーシ２４上にスライド可能に支持されている。固定シャーシ２４は、可動シャーシ２３と同程度の大きさを有する板体からなり、その背面側の略中央部に回転ヘッドドラム２５が取り付けられている。回転ヘッドドラム２５は、固定シャーシ２４に固定される固定部と、その固定部に回転自在に支持された回転部とを有し、その回転部に磁気ヘッドが取り付けられている。この回転ヘッドドラム２５は、その回転中心線を少々傾けた状態で設置されている。更に、固定シャーシ２４には、テープカセット１のローディング用開口部８から磁気テープを引き出して回転ヘッドドラム２５の周面に巻き付ける２組のテープガイド４４，４４がスライド可能に設けられている。
【００４２】
２組のテープガイド４４，４４は、回転ヘッドドラム２５の前部から側部にかけてスライド可能とされた２つのテープガイドブロック４５に搭載されており、テープローディング機構によって進退移動可能に構成されている。テープローディング機構は、固定シャーシ２４に固定された駆動モータ４６と、この駆動モータ４６によって回転駆動される複数枚のギアの組み合わせからなるギア列と、このギア列に伝達された力を２つのテープガイドブロック４５に伝達するリンク機構等を備えて構成されている。
【００４３】
テープガイドブロック４５は、図１及び図２に示すような構成を有している。テープガイドブロック４５は、テープガイドの第１の実施例を示すガイドポスト４４を立設することができる厚みを有する偏平なブロック状の部材によって構成されている。このテープガイドブロック４５の上面に、ガイドポスト４４が軸心線をやや傾斜させて圧入等の固着手段によって固定されている。このガイドポスト４４の外周面に、適当な速度で走行される磁気テープが摺動接触される。
【００４４】
また、テープガイドブロック４５の一側には、位置決めねじ４７に当接されることにより固定シャーシ２４に対してテープガイドブロック４５を所定位置に位置決めする突当部４８が設けられている。突当部４８の先端には、位置決めねじ４７の軸部に係合して位置決めをなすＶ字状の係合溝４８ａが設けられている。位置決めねじ４７は、突当部４８の上面が圧接されるフランジ状の頭部４７ａと、軸部に設けたねじ部４７ｂとを有している。この位置決めねじ４７は、ねじ部４７ｂをねじ孔に螺合することによってレール部材５０に取り付けられており、そのねじ込み量を調整して頭部４７ａの高さを変えることにより、後述する押圧力Ｆ０が作用する位置までの腕の長さＬ０を調整することができる。
【００４５】
更に、テープガイドブロック４５の下面には、下方に突出するガイド軸部５１と入力軸部５２とが設けられている。ガイド軸部５１は、テープガイドブロック４５の略中央部に配置されていて、突当部４８と反対側に入力軸部５２が配置され、両軸部５１，５２間には所定の間隔があけられている。これらガイド軸部５１及び入力軸部５２は、固定シャーシ２４に固定されたレール部材５０のガイド溝を、それぞれ摺動可能に貫通されている。レール部材５０の上面には、テープガイドブロック４５の下面に設けられた複数の脚部５３が接触される。
【００４６】
ガイド軸部５１の先端には、ガイド溝からの抜け出しを防止するために半径方向外側に突出した突起部５１ａが設けられている。この突起部５１ａと脚部５３との間にレール部材５０のレール部５０ａが介在されている。また、入力軸部５２の先端には、所定の嵌合位置以外の嵌合位置において伝動アーム５５が入力軸部５２から抜け出すのを防止するために半径方向外側に突出した突起部５２ａが設けられている。
【００４７】
入力軸部５２は、軸方向の先端部において直径が最も大きく、かつ、テープガイドブロック４５の付け根部分である基端部において直径が最も小さくなるようにテーパ部５６を設け、上側を細くして形成されている。テーパ部５６は、図１及び図２に示すように、伝動アーム５５と接触する側の半面より少々大きな範囲（例えば、２２０°程度）のみをテーパ面として構成してもよく、また、その全面（３６０°）をテーパ面として構成してもよい。この入力軸部５２には、伝動アーム５５の嵌合穴５７が緩く嵌合されている。
【００４８】
伝動アーム５５は、図４に示すような構成を有している。この伝動アーム５５は、への字形に形成された板体からなり、その長手方向の一端に嵌合穴５７が設けられ、他端に連結穴５８が設けられている。連結穴５８は、伝動アーム５５を含むローディング用リンク機構の他のリンクと回動自在に連結するための穴である。嵌合穴５７には、入力軸部５２の突起部５２ａを通過させるための切欠き５９が設けられている。この切欠き５９は、伝動アーム５５の組立状態では、その反対側に突起部５２ａが配置されるように構成されている。
【００４９】
更に、伝動アーム５５の嵌合穴５７は、図３に示すように、その内周面５７ａを、入力軸部５２と略線接触するように曲面として形成している。これにより、嵌合穴５７の内周面５７ａが滑らかな曲面であると共に入力軸部５２のテーパ部５６が同じく滑らかな曲面であるため、互いに摺動する際の摩擦抵抗が生じないか、若しくはその摩擦抵抗を極力少なくすることができる。しかも、所定位置に位置決めされた後、その姿勢を安定させるために大きな圧着力がテープガイドブロック４５に作用したときにも、嵌合穴５７の内周面が曲面であって角の尖った部分がないため、嵌合穴５７の縁がテーパ面に食い込むという不具合の発生を防止することができる。
【００５０】
伝動アーム５５の嵌合穴５７の周縁部であって、テーパ部５６と接触する側の一定の領域には、図３に示すように、補強用のリブ部５５ａが設けられている。また、伝動アーム５５は、入力軸部５２に嵌合した状態において、その突起部５２ａとレール部５０ａとの間で軸方向へ自由に動くことができるようになっている。この伝動アーム５５が、図示しない複数枚のギアの組み合わせからなるギア列を介して、図６に示す駆動モータ４６に動力伝達可能に連結されている。
【００５１】
この駆動モータ４６を駆動して伝動アーム５５をレール部材５０の面方向に移動し、伝動アーム５５で入力軸部５２を押圧することにより、テープガイドブロック４５が回転ヘッドドラム２５に近づく方向に移動する。そして、テープガイドブロック４５が所定位置まで移動して突当部４８が位置決めねじ４７に突き当てられることにより、そのテープガイドブロック４５に発生するモーメントによってテープガイドブロック４５が所定位置に安定的に保持される。
【００５２】
図３に示すように、伝動アーム５５が入力軸部５２のテーパ部５６を押す力をＲとすると、その押圧力Ｒは、テーパ部５６の斜面（テーパ面）に直交する方向の成分Ｒｃと、その斜面に平行する方向の成分Ｒｔとで表すことができる。これら成分のうち、成分Ｒｃが、テープガイドブロック４５にモーメントを発生させるための力成分となる。なお、成分Ｒｔと反対側に延在された成分Ｒｂは、テーパ面と伝動アーム５５との間に発生する摩擦力である。
【００５３】
図２及び図５に示すように、入力軸部５２のテーパ部５６の傾き角をθとし、そのテーパ部５６を伝動アーム５５が押圧力Ｆ０で水平方向に押圧するものとすると、テープガイドブロック４５にモーメントを発生させる力（テーパ面と直交する方向に作用する力成分）Ｆ（＝Ｒｃ）は、
【００５４】
［数２］
Ｆ＝Ｆ０×cosθ
である。
この場合、テーパ部５６の傾き角θは、微小な角度であるため、cosθ≒１とおくことができる。そうすると、Ｆ≒Ｆ０と表すことができる。
【００５５】
一方、押圧力によってテープガイドブロック４５に発生するモーメントＭは、
【００５６】
［数３］
Ｍ＝Ｆ×Ｌ
である。
この場合、腕の長さＬは、テーパ部５６の傾き角θによって形成されるものであり、図１１Ａに示した従来の腕の長さＬ０に比べて長くなっており（Ｌ＞Ｌ０）、見かけ上からも腕が伸びた場合と同様の効果が得られている。
【００５７】
即ち、テーパ部５６を有するテープガイドブロック４５に発生するモーメントＭは、
【００５８】
［数４］
Ｍ（＝Ｆ×Ｌ）＞Ｍ０（＝Ｆ０×Ｌ０）
である。
従って、本実施例によれば、押圧力Ｆの大きさを変えることなく（Ｆ≒Ｆ０）、テープガイドブロック４５に発生するモーメントＭの値を大きくすることができ、そのモーメントＭを脚部５３からレール部材５０で受けることにより、テープガイドブロック４５を所定位置において姿勢を安定させて、しっかりと位置決め固定することができる。
【００５９】
図７及び図８は、テープガイドブロック４５に取り付けられたテープガイドの第２の実施例を示すものである。第１の実施例で示したテープガイド４４は、テープガイドブロック４５に圧入固定されて回転不能とされているが、この第２の実施例で示すテープガイド６４は、ガイド軸６５に回転自在に支持されたガイドローラ６６を具えており、そのガイドローラ６６を磁気テープに対して回転接触させる構成としたものである。
【００６０】
テープガイド６４のガイド軸６５は、テープガイドブロック４５のボス部６７に設けたボス穴６８にスライド可能に挿入されている。ボス部６７の外周面にはおねじが設けられており、そのボス部６７には下フランジ７０が螺合されている。下フランジ７０は、中央部に段付きの穴が軸方向に貫通された円筒状の部材からなり、その段付き穴の大径側の開口部に半径方向外側に展開された外向きのフランジ部７１が設けられている。段付き穴の大径部には、ボス部６７のおねじに螺合されるめねじが設けられている。また、段付き穴にはガイド軸６５が貫通されていて、その大径部を貫通して外側に突出したガイド軸６５の一側部がボス部６７のボス穴６８に挿入されている。
【００６１】
ガイド軸６５は、段付き穴の小径部に圧入されて一体的に固定されている。このガイド軸６５の、段付き穴の小径部側に突出した部分にガイドローラ６６が回転自在に挿入され、更に、その先端部に上フランジ７２が圧入されて一体的に固定されている。即ち、ガイド軸６５は、上下のフランジ７０，７２と一体的に固定されており、その上下のフランジ７０，７２間にガイドローラ６６が回転自在に支持されている。ガイドローラ６６の内側にはスリーブ７４が圧入されて一体化されており、このスリーブ７４を介してガイドローラ６６がガイド軸６５に対して回転自在に支持されている。
【００６２】
また、上フランジ７２の上面には、直径方向に連続したスリット７５が設けられている。このスリット７５を用いて回し工具（図示せず）を上フランジ７２に装着し、その回し工具を回すことにより、上フランジ７２とガイド軸６５と下フランジ７０とを一体に回転することができる。即ち、回し工具を用いてガイド軸６５等を回転させることにより、その回転方向に応じて上下フランジ７２，７０を昇降させ、もって、磁気テープがガイドローラ６６に接触する高さ位置を調整することができる。
【００６３】
更に、ボス部６７の外周面の３箇所には、下フランジ７０の段付き穴に設けためねじの谷に収まりきらない塑性変形した部分の樹脂を逃がすための肉減らし部７７が設けられている。テープガイドブロック４５とガイドローラ６６とスリーブ７４の材質としてはエンジニアリングプラスチックが好適である。また、ガイド軸６５と下フランジ７０と上フランジ７２の材質としては、ステンレス鋼等の金属が好適である。
【００６４】
このような構成を有するテープガイド６４によれば、樹脂製のボス部６７に金属製の下フランジ７０を螺合し、樹脂の塑性変形によって構築されるボス部６７のおねじと下フランジ７０のめねじを噛み合わせることにより、比較的軟らかい材料で形成されたボス部６７のおねじで硬い材料で形成された下フランジ７０のめねじを圧迫することができる。これにより、下フランジ７０の回転に対する抵抗力を生じさせ、下フランジ７０の緩みを防止することができる。
【００６５】
また、ボス部６７のおねじ部分のうち、下フランジ７０のめねじの谷に収まりきらない塑性変形した部分の樹脂は、そのボス部６７に設けた肉減らし部７７内に収容されるため、その余剰部分があることによっても下フランジ７０が所定部位まで螺合できない等の不具合を生ずるおそれがない。更に、ボス部の外周面におねじを設け、そのおねじに下フランジ７０のめねじを螺合すると共に、その螺合部をテープガイド６４の内側に形成したことにより、ねじ部の噛み合い長さを十分に長く確保しながら、テープガイドの高さ調整機構を小型化することができる。従って、テープローディング機構をより薄くすることができると共に、装置全体の小型化に寄与することができる。
【００６６】
以上説明したように、本発明によれば、伝動アーム５５でテープガイドブロック４５を押圧すると、入力軸部５２に設けたテーパ部５６によって伝動アーム５５が、上方である入力軸部５２の根元側に寄せられ、その先端部が常にレール部５０ａの下面に当接されてくっついたような状態になる。そのため、図５に示すように、腕の長さＬ０は目減りするが、モーメントの源であるテーパ部５６を垂直に押す力Ｆと位置決めねじ４７の支点Ｐ１とで作られる見かけ上の腕の長さＬが長くなる（Ｌ＞Ｌ０）ため、より大きなモーメントを発生させることができる。これにより、テープガイドブロック４５を所定位置にしっかりと固定し、テープガイドの姿勢をしっかりと保持することができる。
【産業上の利用可能性】
【００６７】
本発明は、前述しかつ図面に示した実施の形態に限定されるものではなく、その要旨を逸脱しない範囲内で種々の変形実施が可能である。例えば、前記実施例では、情報信号の再生ばかりでなく記録も可能なテープ記録再生装置について説明したが、再生のみが可能なテープ再生装置は勿論のこと、記録のみが可能なテープ記録装置にも適用可能であることは勿論である。また、本発明に係る磁気記録再生装置が使用される電子機器としては、ビデオカメラ等の撮像装置に限定されるものではなく、テープカセットが用いられるビデオテープレコーダ、カセットプレーヤ、パーソナルコンピュータ、その他各種の電子機器に適用できるものである。
【図面の簡単な説明】
【００６８】
【図１】本発明の磁気記録再生装置に係るテープガイドブロックの第１の実施例を示すもので、テープガイドブロックを下方から見た斜視図である。
【図２】本発明の磁気記録再生装置に係るテープガイドブロックの第１の実施例の要部を断面した説明図である。
【図３】図２の要部である入力軸部を拡大して示す説明図である。
【図４】本発明の磁気記録再生装置に係る伝動アームの一実施例を示す平面図である。
【図５】本発明の磁気記録再生装置に係るテープガイドブロックに発生するモーメントの説明図である。
【図６】本発明の磁気記録再生装置の一実施例を示す斜視図である。
【図７】本発明の磁気記録再生装置に係るテープガイドの第２の実施例を示す断面図である。
【図８】本発明の磁気記録再生装置に係るテープガイドの第２の実施例を示す分解斜視図である。
【図９】本発明の磁気記録再生装置に係るテープカセットの一実施例を示す斜視図である。
【図１０】カセットホルダが下部位置（カセコンダウン位置）に移動した状態を背面側から見た斜視図である。
【図１１】同図Ａは従来の磁気記録再生装置に係るテープガイドブロックに発生するモーメントの説明図、同図Ｂは入力軸部を伸ばした状態の説明図である。
【符号の説明】
【００６９】
１…テープカセット、  ２０…磁気記録再生装置、  ２１…カセットホルダ、  ２３…可動シャーシ、  ２４…固定シャーシ、  ２５…回転ヘッドドラム、  ４４…ガイドポスト（テープガイド）、  ４５…テープガイドブロック、  ４６…駆動モータ、  ４７…位置決めねじ、  ４８…突当部、  ５０…レール部材、  ５２…入力軸部、  ５３…脚部、  ５５…伝動アーム、  ５６…テーパ部、  ５７…嵌合穴、  ５７ａ…内周面、  ６４…テープガイド、  ６５…ガイド軸、  ６６…ガイドローラ、  ７０…下フランジ、  ７２…上フランジ、  Ｆ，Ｆ０…押す力、  Ｌ，Ｌ０…腕の長さ、  Ｍ，Ｍ０…モーメント、  Ｐ０…入力点、  Ｐ１…支点、  Ｐ２…作用点
【図１】
2006202387.tif 000003
【図２】
2006202387.tif 000004
【図３】
2006202387.tif 000005
【図４】
2006202387.tif 000006
【図５】
2006202387.tif 000007
【図６】
2006202387.tif 000008
【図７】
2006202387.tif 000009
【図８】
2006202387.tif 000010
【図９】
2006202387.tif 000011
【図１０】
2006202387.tif 000012
【図１１】
2006202387.tif 000013